(57)【要約】【課題】ロータリシャッタとカートリッジケース間で、ハブ孔シャッタが円滑に回動することができる記録ディスクカートリッジを提供する。【解決手段】記録ディスクメディア３０と、記録ディスクメディア３０を回転自在に収容するとともにこの記録ディスクメディア３０を外部に臨ませるためのアクセス用開口部を有するカートリッジケース１０と、このカートリッジケース１０内で回動することでアクセス用開口部を開閉するロータリシャッタ２０と、このロータリシャッタ２０の下部で記録ディスクメディア３０の一部を構成するハブとカートリッジケース１０に形成されたハブ孔との隙間を開閉するハブ孔シャッタ４０と、を備える記録ディスクカートリッジであって、ロータリシャッタ２０の周端部に、ハブ孔シャッタ４０の厚さ寸法Ｌ１以上の突出寸法Ｌ２を有する突出部２０２を下方に向けて形成した。【選択図】図６
2007141303.tif 000002
【特許請求の範囲】
【請求項１】
記録ディスクメディアと、前記記録ディスクメディアを回転自在に収容するとともに当該記録ディスクメディアを外部に臨ませるためのアクセス用開口部を有するカートリッジケースと、前記カートリッジケース内で回動することで前記アクセス用開口部を開閉するロータリシャッタと、前記ロータリシャッタの下部で前記記録ディスクメディアの一部を構成するハブと前記カートリッジケースに形成されたハブ孔との隙間を開閉するハブ孔シャッタと、を備える記録ディスクカートリッジであって、
前記ロータリシャッタの周端部に、前記ハブ孔シャッタの厚さ寸法以上の突出寸法を有する突出部を下方に向けて形成したことを特徴とする記録ディスクカートリッジ。
【請求項２】
前記ロータリシャッタは、互いに対向して配置される上シャッタおよび下シャッタと、前記上シャッタと前記下シャッタとの間に介在して前記ロータリシャッタの周壁を構成するシャッタウォールと、を有しており、
前記シャッタウォールの下面には、下方に突出する垂壁部が周方向に間欠的に形成され、前記下シャッタの周端部には、前記垂壁部が嵌まり込むウォール用切欠部が形成され、
前記突出部は、前記垂壁部の前記下シャッタの下面から下方に突出する部分で構成されたことを特徴とする請求項１に記載の記録ディスクカートリッジ。
【請求項３】
前記ハブ孔シャッタは、前記カートリッジケースの下部内面に形成された回動軸部に軸支されるとともに、前記下シャッタの下面に形成された係合突起に係合されて、前記ロータリシャッタの回動に連動して回動して前記ハブと前記ハブ孔との隙間を開閉するように構成されており、
前記突出部は、前記係合突起の突出寸法以上の突出寸法を有することを特徴とする請求項１または請求項２に記載の記録ディスクカートリッジ。
【請求項４】
前記ハブ孔シャッタは、前記カートリッジケースの下部内面に形成された回動軸部に軸支されるとともに、前記下シャッタの下面に形成された係合突起に係合されて、前記ロータリシャッタの回動に連動して回動して前記ハブと前記ハブ孔との隙間を開閉するように構成されており、
前記突出部は、前記回動軸部の突出寸法以上の突出寸法を有することを特徴とする請求項１乃至請求項３のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきているとともに、その記録長はより短くなってきている。
【０００３】
従来の記録ディスクカートリッジとしては、例えば特許文献１に記載のものが知られている。
【０００４】
特許文献１に記載の記録ディスクカートリッジ８００は、図１１の従来図に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に装着されて使用される。
【０００５】
カートリッジケース８１０は、図１１に示すように、上シェル８１１と下シェル８１２とから構成されており、記録ディスクカートリッジ８００がドライブ装置に装着されたときにドライブ装置のヘッドが記録ディスクメディア８３０にアクセスできるように、平面視くさび形のアクセス用開口部８１３が形成されている。また、下シェル８１２には、記録ディスクカートリッジ８００がドライブ装置に装着されたときにドライブ装置のスピンドルがハブ８３２にチャックできるように、チャック用ハブ孔８１５が形成されている。
【０００６】
ロータリシャッタ８２０は、円盤状の上シャッタ８２３と下シャッタ８２４とから構成されており、記録ディスクメディア８３０をアクセス用開口部８１３から露出させるための切欠８２１を有している。この切欠８２１は、アクセス用開口部８１３と対応する形状を有している。また、ロータリシャッタ８２０は、カートリッジケース８１０内で回動できるように上シェル８１１に結合されている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に露出しない。ロータリシャッタ８２０が開位置にあるとき、ロータリシャッタ８２０の切欠８２１とカートリッジケース８１０のアクセス用開口部８１３とが重なって、アクセス用開口部８１３から記録ディスクメディア８３０が露出する。ロータリシャッタ８２０は、図示しないばねにより付勢されて、ドライブ装置に装着されていないときは閉位置に配置され、ドライブ装置に装着されたときは開位置に配置されるようになっている。
【０００７】
また、ロータリシャッタ８２０の下シャッタ８２４には、チャック用ハブ孔８１５と対応する形状を有するハブ孔８２２が形成されており、ハブ８３２の下面は、このハブ孔８２２を介してチャック用ハブ孔８１５から露出している。
【特許文献１】米国特許第６２５６１６８号明細書
【発明の開示】
【発明が解決しようとする課題】
【０００８】
ところで、記録ディスクカートリッジ８００は、規格寸法が決まっており、２ｍｍ弱の厚さの中に多くの部品が設けられている。その中でも、ロータリシャッタ８２０は、その内部で記録ディスクメディア８３０が回転するため、所定の厚さが必要となる。そのため、カートリッジケース８１０とロータリシャッタ８２０との隙間の寸法は小さくなる。特に、ロータリシャッタ８２０と下シェル８１２との間には、ハブ８３２とチャック用ハブ孔８１５との隙間を開閉するハブ孔シャッタ（図示せず）が設けられるため、寸法的に厳しい。また、ロータリシャッタ８２０は、その中心部で支持されているので、その周端部においてガタツキによる上下の揺れが大きくなる場合がある。この場合、ハブ孔シャッタが、下シェル８１２とロータリシャッタ８２０との間に挟まれて、ハブ孔シャッタの回動が妨げられてしまうといった問題があった。
【０００９】
このような背景に鑑みて本発明がなされたのであり、本発明は、ロータリシャッタとカートリッジケース間で、ハブ孔シャッタが円滑に回動することができる記録ディスクカートリッジを提供することを課題とする。
【課題を解決するための手段】
【００１０】
前記した課題を解決するため、本発明は、記録ディスクメディアと、前記記録ディスクメディアを回転自在に収容するとともに当該記録ディスクメディアを外部に臨ませるためのアクセス用開口部を有するカートリッジケースと、前記カートリッジケース内で回動することで前記アクセス用開口部を開閉するロータリシャッタと、前記ロータリシャッタの下部で前記記録ディスクメディアの一部を構成するハブと前記カートリッジケースに形成されたハブ孔との隙間を開閉するハブ孔シャッタと、を備える記録ディスクカートリッジであって、前記ロータリシャッタの周端部に、前記ハブ孔シャッタの厚さ寸法以上の突出寸法を有する突出部を下方に向けて形成したことを特徴とする。
【００１１】
このような記録ディスクカートリッジによれば、ロータリシャッタの周端部に突出部が下方に向けて形成されているので、ロータリシャッタの回動時にガタツキが発生したとしても、突出部の下端がカートリッジケースに当接して、ロータリシャッタがそれ以上傾斜することはない。すなわち、突出部がスペーサの役目を果たすので、ロータリシャッタとカートリッジケースとの隙間を突出部の突出寸法以上に保持することができる。そして、突出部は、ハブ孔シャッタの厚さ寸法以上の突出寸法を有しているので、ロータリシャッタとカートリッジケースとの隙間は、ハブ孔シャッタの厚さ寸法以上の寸法となり、ハブ孔シャッタの設置スペースを確保することができる。したがって、ハブ孔シャッタは、ロータリシャッタとカートリッジケースとの間で挟まれることはなく、円滑に回動することができる。
【００１２】
前記した記録ディスクカートリッジにおいては、前記ロータリシャッタは、互いに対向して配置される上シャッタおよび下シャッタと、前記上シャッタと前記下シャッタとの間に介在して前記ロータリシャッタの周壁を構成するシャッタウォールと、を有しており、前記シャッタウォールの下面には、下方に突出する垂壁部が周方向に間欠的に形成され、前記下シャッタの周端部には、前記垂壁部が嵌まり込むウォール用切欠部が形成され、前記突出部は、前記垂壁部の前記下シャッタの下面から下方に突出する部分で構成されたことが好ましい。
【００１３】
このような記録ディスクカートリッジによれば、突出部が間欠的に形成されているので、ロータリシャッタが傾斜して、突出部の下端がカートリッジケースに当接しても、その当接面積は小さいので、摩擦抵抗を低減することができる。したがって、ロータリシャッタは、円滑に回動することができる。さらに、シャッタウォールの垂壁部が、下シャッタのウォール用切欠部に嵌まり込むので、下シャッタのシャッタウォールに対する位置決めが容易に行えるとともに、ロータリシャッタが一体化され、その剛性が高まる。
【００１４】
前記した記録ディスクカートリッジにおいては、前記ハブ孔シャッタは、前記カートリッジケースの下部内面に形成された回動軸部に軸支されるとともに、前記下シャッタの下面に形成された係合突起に係合されて、前記ロータリシャッタの回動に連動して回動して前記ハブと前記ハブ孔との隙間を開閉するように構成されており、前記突出部は、前記係合突起の突出寸法以上の突出寸法を有することが好ましい。
【００１５】
このような記録ディスクカートリッジによれば、ロータリシャッタとカートリッジケースとの間に確保されるハブ孔シャッタの設置スペースに、係合突起が納まるので、ロータリシャッタが傾斜しても、係合突起はカートリッジケースに当接せず、ロータリシャッタの回動が妨げられることはない。
【００１６】
前記した記録ディスクカートリッジにおいては、前記ハブ孔シャッタは、前記カートリッジケースの下部内面に形成された回動軸部に軸支されるとともに、前記下シャッタの下面に形成された係合突起に係合されて、前記ロータリシャッタの回動に連動して回動して前記ハブと前記ハブ孔との隙間を開閉するように構成されており、前記突出部は、前記回動軸部の突出寸法以上の突出寸法を有することが好ましい。
【００１７】
このような記録ディスクカートリッジによれば、ロータリシャッタとカートリッジケースとの間に確保されるハブ孔シャッタの設置スペースに、回動軸部が納まるので、ロータリシャッタが傾斜しても、回動軸部はカートリッジケースに当接せず、ロータリシャッタの回動が妨げられることはない。
【発明の効果】
【００１８】
本発明によれば、ロータリシャッタとカートリッジケース間で、ハブ孔シャッタが円滑に回動することができるといった優れた効果を発揮する。
【発明を実施するための最良の形態】
【００１９】
本発明を実施するための最良の形態について図面を参照して詳細に説明する。参照する図面において、図１は、最良の一実施形態に係る記録ディスクカートリッジを示す斜視図であり、（ａ）は前方斜め上方から見た図、（ｂ）は後方斜め下方から見た図をそれぞれ示している。図２は、最良の一実施形態に係る記録ディスクカートリッジの分解斜視図である。図３は、最良の一実施形態に係るロータリシャッタを示す斜視図であり、（ａ）は前方斜め上方から見た図、（ｂ）は後方斜め下方から見た図である。図４は、最良の一実施形態に係る記録ディスクカートリッジを下方から見た平面図である。図５は、最良の一実施形態に係る記録ディスクカートリッジをドライブ装置に挿入した状態と挿入前の状態を示す斜視図である。図６は、最良の一実施形態に係るロータリシャッタを示す要部断面図である。図７は、最良の一実施形態に係るロータリシャッタを示す分解斜視図である。図８は、最良の一実施形態に係るロータリシャッタを示す側面図である。図９は、最良の一実施形態に係る下シャッタを示す平面図である。図１０は、最良の一実施形態に係るシャッタウォールを示す図であり、（ａ）は側面図、（ｂ）は底面図である。
【００２０】
なお、本説明において方向を説明する場合は、図１に示す前、後、右、左、上、下、を基準として説明する。
【００２１】
≪記録ディスクカートリッジ１の構成≫
図１および図２に示すように、本実施形態に係る記録ディスクカートリッジ１は、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下側に配置されたハブ孔シャッタ４０と、を主に備えている。かかる記録ディスクカートリッジ１は、専用のドライブ装置Ｄ（図５参照）に前側から挿入されて使用される。
【００２２】
＜カートリッジケース１０＞
カートリッジケース１０は、図１に示すように、記録ディスクメディア３０を収容するための厚さの薄い箱状体である。カートリッジケース１０は、前端部１０ａが平面視で円弧（アーチ）状に形成されるとともに、後端部１０ｂ、右端部１０ｃおよび左端部１０ｄが平面視で略直線状に形成されている。なお、後端部１０ｂの中間部は、その両側に比して後側にやや膨らんでおり、記録ディスクカートリッジ１をドライブ装置Ｄから取り出す際に把持し易くなっている（図５参照）。
【００２３】
また、カートリッジケース１０は、その内部に収容された記録ディスクメディア３０を外部に臨ませるための、平面視でくさび形（中心角が略９０°の略扇形）に切り欠かれたアクセス用開口部１０１を有している。なお、このアクセス用開口部１０１は、ドライブ装置ＤのスイングアームＳＡ（図５参照）の動作に干渉しない形状となっている。
【００２４】
このようなカートリッジケース１０は、図２に示すように、互いに対向して配置される金属製の上シェル１１および下シェル１２と、この上シェル１１と下シェル１２との間に介在した合成樹脂製のフレーム部材１３と、を備えて構成されている。
【００２５】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートに打ち抜き加工、折り曲げ加工や半抜き加工を施すことで、所定の形状に形成されている。
【００２６】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、カートリッジケース１０のアクセス用開口部１０１が構成されている。
【００２７】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
【００２８】
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２９】
上シェル１１は、その中央部に、ロータリシャッタ２０を回動可能に止め付けるためのセンタピン５０を係合する係合孔１１３を有している。
【００３０】
一方、下シェル１２は、その中央部に、記録ディスクメディア３０のハブ３２を外部に臨ませるハブ孔１２３を有している。記録ディスクカートリッジ１がドライブ装置Ｄに装着された際に、このハブ孔１２３を介して、ドライブ装置Ｄのスピンドル（図示省略）がハブ３２に係合するようになっている。
【００３１】
また、下シェル１２は、後記するロータリシャッタ２０のシャッタノブ２４の回動軌道に沿って形成されたガイド孔１２４と、ハブ孔シャッタ４０を軸支するため、内側（記録ディスクメディア３０側）に突出した２つの回動軸部１２５ａ，１２５ｂとを有している。
【００３２】
［フレーム部材１３］
フレーム部材１３は、図２に示すように、前端部１０ａの右寄り部分のアーチ状の周壁を構成するアーチ状フレーム１３１と、主に後端部１０ｂの周壁を構成するベースフレーム１３２と、左端部１０ｄの前側の周壁の一部を構成するＶノッチ部材１３３と、を備えて構成されている。
【００３３】
アーチ状フレーム１３１の内壁面１３１ａ（記録ディスクメディア３０側の面）は、ロータリシャッタ２０の外形に沿って円弧状に形成されている。アーチ状フレーム１３１の外壁面１３１ｂ（記録ディスクカートリッジ１の外側の面）は、カートリッジケース１０の前端部１０ａの外形に沿って円弧状に形成されている。また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００３４】
ベースフレーム１３２の内壁面１３２ａ（記録ディスクメディア３０側の面）は、ロータリシャッタ２０の外形に沿って円弧状に形成されている。ベースフレーム１３２の外壁面１３２ｂ（記録ディスクカートリッジ１の外側の面）は、カートリッジケース１０の左右両端部１０ｃ，１０ｄおよび後端部１０ｂの形状に沿って略直線形状に形成されている。
【００３５】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００３６】
上シェル１１および下シェル１２とフレーム部材１３とは、公知の技術によって、それぞれ固定されている。例えば、（１）フレーム部材１３にボスを設けるとともに、上シェル１１および下シェル１２にボス孔を設け、ボスをボス孔に挿通した状態でボスの先端をかしめることにより固定したり、（２）上シェル１１および下シェル１２とフレーム部材１３とを、接着剤により接着したりして、上シェル１１および下シェル１２とフレーム部材１３とが固定されている。
【００３７】
＜ロータリシャッタ２０＞
ロータリシャッタ２０は、アクセス用開口部１０１（図１参照）を開閉するためのシャッタであり、中空構造の略円盤形状に形成されている。ロータリシャッタ２０の中空部には、記録ディスクメディア３０が回転自在に収容されている（図３参照）。
【００３８】
ロータリシャッタ２０は、図２及び図３に示すように、記録ディスクメディア３０を外部に臨ませる切欠部２０１を有している（図５参照）。なお、切欠部２０１は、カートリッジケース１０のアクセス用開口部１０１と略同形状となっている。ロータリシャッタ２０は上シェル１１の中央部付近にセンタピン５０によって回動自在に固定されている。
【００３９】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図５参照）。
【００４０】
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５参照）。
【００４１】
また、ロータリシャッタ２０は、図示しない付勢手段（例えば渦巻きばね）によって、閉方向（図４中、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図５参照）。ちなみに、本発明において、前記付勢手段は必須の構成要素ではなく、ドライブ装置Ｄ（図５参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４２】
ところで、本発明は、図６に示すように、ロータリシャッタ２０の周端部に、ハブ孔シャッタ４０の厚さ寸法Ｌ１以上の突出寸法Ｌ２を有する突出部２０２を、下方（下シェル１２側）に向けて形成したことを特徴とする。以下、ロータリシャッタ２０の各部の構成とともに、突出部２０２の構成を説明する。
【００４３】
ロータリシャッタ２０は、図２および図３に示すように、互いに対向して配置される上シャッタ２１および下シャッタ２２と、これらの間に介在して前記ロータリシャッタ２０の周壁を構成するシャッタウォール２３と、を備えて構成されている。
【００４４】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の合成樹脂製の部材である。シャッタウォール２３の上下には、上シャッタ２１と下シャッタ２２とが、カートリッジケース１０と同様に、適宜な方法（本実施の形態ではカシメ）によって固定されており、このようなシャッタウォール２３が上シャッタ２１と下シャッタ２２との間に介在されることにより、記録ディスクメディア３０を収容するスペースが形成されている。
【００４５】
図７および図８に示すように、シャッタウォール２３の下面には、下方に突出する垂壁部２３１が形成されている。垂壁部２３１は、周方向に間欠的に形成されており、シャッタウォール２３の下面は周方向に沿って凹凸形状を呈している。垂壁部２３１の周方向長さと、垂壁部２３１が形成されていない凹部２３２の周方向長さは、略同等であり、シャッタウォール２３の周方向のうち、略半分に垂壁部２３１が形成されている。シャッタウォール２３の周方向両端部、すなわち、切欠部２０１に接する部分には、垂壁部２３１は形成されておらず、それぞれ凹部２３２となっている。
【００４６】
シャッタウォール２３の上面には、上方に突出する立壁部２３３が形成されている。立壁部２３３も、垂壁部２３１と同様に、周方向に間欠的に形成されており、シャッタウォール２３の上面は周方向に沿って凹凸形状を呈している。立壁部２３３は、垂壁部２３１と同等の周方向長さを有しており、垂壁部２３１の上方に形成されている。立壁部２３３が形成されていない凹部２３４は、シャッタウォール２３の下面の凹部２３２に対応する部分に位置している。
【００４７】
シャッタウォール２３の各凹部２３２，２３４には、それぞれ後記する上シャッタ２１と下シャッタ２２に形成されるボス孔２６に挿入されてカシメられるボス２７が形成されている。
【００４８】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。そして、切欠部２１１と切欠部２２１とで、前記したロータリシャッタ２０の切欠部２０１が構成されている。上シャッタ２１および下シャッタ２２は、金属プレートにて形成されている。
【００４９】
また、上シャッタ２１は、その中央部に、前記したセンタピン５０を挿通させるための挿通孔２１２（図２および図７参照）を有している。
【００５０】
図２および図３に示すように、下シャッタ２２は、その中央部に、記録ディスクメディア３０の後記するハブ３２を外部に臨ませるためのハブ孔２２２を有している。
【００５１】
下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００５２】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図５参照）。
【００５３】
図７乃至図９に示すように、下シャッタ２２の周端部には、垂壁部２３１が嵌まり込むウォール用切欠部２２４が形成されている。ウォール用切欠部２２４は、垂壁部２３１の位置に対応して下シャッタ２２の周端部に間欠的に形成されている。ウォール用切欠部２２４は、垂壁部２３１の幅ｗ（図７参照）と同等の切欠深さｄ（図７参照）を有しており、下シャッタ２２の周端面と、シャッタウォール２３の外周面とが揃っている。なお、隣り合うウォール用切欠部２２４間の、下シャッタ２２の周端部まで延出する部分は凸部２２５と称する。
【００５４】
図７および図８に示すように、上シャッタ２１の周端部には、立壁部２３３が嵌まり込むウォール用切欠部２１４が形成されている。ウォール用切欠部２１４は、立壁部２３３の位置に対応して上シャッタ２１の周端部に間欠的に形成されている。ウォール用切欠部２１４は、垂壁部２３１の幅ｗ（図７参照）と同等の切欠深さｄ（図７参照）を有しており、上シャッタ２１の周端面と、シャッタウォール２３の外周面とが揃っている。これによって、下シャッタ２２の周端面とシャッタウォール２３の外周面と上シャッタ２１の周端面とが面一となり、ロータリシャッタ２０の周壁の外周面が面一に形成されることとなる。
【００５５】
ところで、図６に示すように、垂壁部２３１は、その垂下寸法ｈ１が、下シャッタ２２の厚さｔ１よりも大きくなるように形成されている。したがって、垂壁部２３１は、下シャッタ２２の下面よりも下方に突出することとなる。この突出した部分が、突出部２０２を構成する。突出部２０２の突出寸法Ｌ２が、後に詳述するハブ孔シャッタ４０の厚さ寸法Ｌ１よりも大きくなるように、突出部２０２が形成されている。すなわち、垂壁部２３１は、その垂下寸法ｈ１が、下シャッタ２２の厚さｔ１とハブ孔シャッタ４０の厚さ寸法Ｌ１を加えた寸法以上になるように形成されている。
【００５６】
さらに、突出部２０２は、下シャッタ２２の下面に形成された係合突起２２３ａ，２２３ｂの突出寸法Ｌ３以上の突出寸法Ｌ２（本実施の形態では、Ｌ３と同等の寸法である）を有するように形成されている。また、突出部２０２は、下シェル１２の上面（カートリッジケース１０の下部内面）に形成された回動軸部１２５ａ，１２５ｂの突出寸法Ｌ４以上の突出寸法Ｌ２（本実施の形態では、Ｌ４と同等の寸法である）を有するように形成されている。
【００５７】
本実施の形態では、下シャッタ２２の板厚ｔ１は１５μｍであり、上シャッタ２１の板厚ｔ２は、１８μｍである。また、下シェル１２の板厚ｔ３は１５μｍであり、上シェル１１の板厚ｔ４は１８μｍである。従来、下シャッタの板厚は１８μｍであったが、本実施の形態の下シャッタ２２は、上面の位置を変えずに、下面の位置が従来よりも３μｍ上方に上がるように配置されている。これによって、ハブ孔シャッタ４０の設置スペースを上方に３μｍ広くすることができるとともに、ロータリシャッタ２０内での、フレキシブルディスク３１の上下の隙間Ｓ１，Ｓ２を均等にすることができる。また、従来、下シェルの板厚は１８μｍであったが、本実施の形態の下シェル１２は、下面の位置を変えずに、上面の位置が従来よりも３μｍ下方に下がるように配置されている。これによって、ハブ孔シャッタ４０の設置スペースを下方に３μｍ広くすることができるとともに、カートリッジケース１０の外形寸法を規格寸法と等しくできる。なお、前記の各板厚寸法は、一例であって、これに限られるものではなく、要求される性能に応じて適宜設定されるものである。
【００５８】
また、下シャッタ２２は、その一部が上側に折り曲げ加工されることで一体に形成されたロック片７０を備えている。ロック片７０は、記録ディスクカートリッジ１の挿入前である通常時において、ロータリシャッタ２０を閉位置でロックするためのものである。
【００５９】
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図４参照）。本実施の形態では、図９に示すように、ロック片７０は、下シャッタ２２の凸部２２５の間に位置して、下シャッタ２２の周縁部まで延びるブラケット２２６の先端（下シャッタ２２の側面（ロータリシャッタ２０の周端部）位置）に形成されている。このブラケット２２６に対応する位置のシャッタウォール２３には、ブラケット２２６に相当する部分が切り欠かれた垂壁部２３１’が形成されており、ブラケット２２６に相当する部分にはボス２７が形成されている。ブラケット２２６には、ボス孔２６が形成されている。
【００６０】
そして、図５右側に示すような記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００６１】
また、ロック片７０の先端部７１は、係合溝１３１ｅを介して、記録ディスクカートリッジ１の右側方に臨んでいる。そして、図５左側に示すように、記録ディスクカートリッジ１がドライブ装置Ｄに挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００６２】
＜ライナ６０＞
図２に示すように、記録ディスクメディア３０と上シャッタ２１および下シャッタ２２との間には、不織布などからなるライナ６０がそれぞれ配置されている。ライナ６０は、記録ディスクメディア３０と、上シャッタ２１または下シャッタ２２とが擦れて、記録ディスクメディアに傷がつかないようにするためのものである。ライナ６０は、上シャッタ２１と下シャッタ２２の内面にそれぞれ接着固定されている。
【００６３】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００６４】
フレキシブルディスク３１は、例えば、ポリエステルシートなどからなる円盤状の支持体の両面に磁性層などの記録層を形成したものである。ハブ３２は、フレキシブルディスク３１を支持する金属製の円筒状部材である。ハブ３２は、上面にフレキシブルディスク３１の取り付け部（図示省略）を備えるとともに、下面にドライブ装置Ｄ（図５参照）のスピンドル（図示省略）にチャックされるチャック部３２１を備えている（図１（ｂ）および図５参照）。
【００６５】
＜ハブ孔シャッタ４０＞
図２、図４および図５に示すように、ハブ孔シャッタ４０は、下シェル１２とハブ３２との間の隙間Ｓ（図５参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００６６】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００６７】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００６８】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００６９】
≪記録ディスクカートリッジ１の作用効果≫
次に、前記構成の記録ディスクカートリッジ１の作用効果について説明する。まず、ロータリシャッタ２０およびハブ孔シャッタ４０の動作について、図５を主に参照して説明し、その後、本発明に係る突出部による作用効果について説明する。
【００７０】
＜ロータリシャッタ２０の動作＞
ロータリシャッタ２０は、図５右側に示すような、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。なお、このようにロータリシャッタ２０が閉位置に配置される場合、シャッタノブ２４は、下シェル１２のガイド孔１２４の前方に位置する。
【００７１】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４中、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４中、矢印Ａ２参照）。
【００７２】
そうすると、シャッタノブ２４が固定されたロータリシャッタ２０は、カートリッジケース１０内でセンタピン５０を軸として回動する（図４中、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００７３】
そして、図５左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
【００７４】
なお、このようにロータリシャッタ２０が開位置に配置される場合、ロータリシャッタ２０に固定されたシャッタノブ２４は、下シェル１２のガイド孔１２４の後方に位置する。
【００７５】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００７６】
＜ハブ孔シャッタ４０の動作＞
次に、このようなロータリシャッタ２０の動作に連動するハブ孔シャッタ４０について説明する。
【００７７】
ハブ孔シャッタ４０は、図５右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００７８】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４中、矢印Ａ４，Ａ４参照）。
【００７９】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４中、矢印Ａ５参照）。また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４中、矢印Ａ５参照）。
【００８０】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図５左側参照）。その結果として、ハブ３２及びこれを備える記録ディスクメディア３０は、ハブ３２にチャックするドライブ装置Ｄのスピンドル（図示省略）により、良好に回転することができる。
【００８１】
なお、記録ディスクカートリッジ１がドライブ装置Ｄから取り出されると、閉位置に戻るロータリシャッタ２０に連動して、ハブ孔シャッタ４０は隙間Ｓを閉じる。
【００８２】
＜ロータリシャッタ２０の突出部２０２による作用効果＞
前記のようにロータリシャッタ２０が回動する際には、ロータリシャッタ２０の周端部が上下に揺動する場合がある。これは、ロータリシャッタ２０がその中心部で支持されており、ガタツキが発生することがあるためで、特に、シャッタノブ２４がロータリシャッタ２０の一箇所に設けられているため、シャッタノブ２４が設けられていない側が下シェル１２側に傾斜する傾向がある。本実施の形態においては、図６に示すように、ロータリシャッタ２０の周端部に、突出部２０２を形成したことによって、ロータリシャッタ２０の傾斜を抑制することができる。すなわち、突出部２０２の下端が下シェル１２の上面に当接することで、ロータリシャッタ２０がそれ以上傾斜することはない。言い換えれば、突出部２０２がスペーサの役目を果たすので、下シャッタ２２（ロータリシャッタ２０）と下シェル１２（カートリッジケース１０）との隙間を突出部２０２の突出寸法Ｌ２以上に保持することができる。そして、突出部２０２は、ハブ孔シャッタ４０の厚さ寸法Ｌ１以上の突出寸法Ｌ２を有しているので、下シャッタ２２と下シェル１２との隙間は、ハブ孔シャッタ４０の厚さ寸法Ｌ１以上の高さ寸法を有し、十分なハブ孔シャッタ４０の設置スペースを確保することができる。したがって、ハブ孔シャッタ４０は、下シャッタ２２と下シェル１２との間で挟まれることはなく、円滑に回動することができる。
【００８３】
特に、ハブ孔シャッタ４０は、下シェル１２と下シャッタ２２間の狭いスペース内でロータリシャッタ２０に設けられた係合突起２２３ａ，２２３ｂをハブ孔シャッタ４０の係合長孔４１３，４２３に係合させることで回動するので、ハブ孔シャッタ４０がロータリシャッタ２０とカートリッジケース１０に挟まれると、係合突起２２３ａ，２２３ｂが係合長孔４１３，４２３から外れてしまう虞がある。したがって、十分なハブ孔シャッタ４０の設置スペースを確保できることによる作用効果は大きい。
【００８４】
また、前記構成によれば、万一、カートリッジケース１０の下シェル１２に反りが発生したとしても、十分なハブ孔シャッタ４０の設置スペースを確保することができる。
【００８５】
また、突出部２０２は、ロータリシャッタ２０の全周に亘って複数形成されているので、ロータリシャッタ２０がどの方向に傾斜しようとしても、いずれかの突出部２０２が下シェル１２に当接して、それ以上の傾斜を防止できる。
【００８６】
さらに、突出部２０２は、ロータリシャッタ２０の周方向に沿って、間欠的に形成されているので、ロータリシャッタ２０が傾斜して、突出部２０２の下端が下シェル１２に当接する当接面積は小さくなる。したがって、突出部２０２と下シェル１２との摩擦抵抗を低減することができ、ロータリシャッタ２０は、円滑に回動することができる。また、突出部２０２はシャッタウォール２３と一体で合成樹脂にて構成されており、下シェル１２は金属プレートにて構成されているので、摩擦抵抗は小さい。
【００８７】
また、突出部２０２は、係合突起２２３ａ，２２３ｂの突出寸法Ｌ３以上の突出寸法Ｌ２を有しているので、ロータリシャッタ２０とカートリッジケース１０との間に確保されるハブ孔シャッタ４０の設置スペースに、係合突起２２３ａ，２２３ｂが納まる。したがって、ロータリシャッタ２０が傾斜しても、係合突起２２３ａ，２２３ｂは下シェル１２に当接せず、ロータリシャッタ２０とカートリッジケース１０との摩擦抵抗が増加しないので、ロータリシャッタ２０の回動が妨げられることはない。
【００８８】
さらに、突出部２０２は、回動軸部１２５ａ，１２５ｂの突出寸法Ｌ４以上の突出寸法Ｌ２を有しているので、ハブ孔シャッタ４０の設置スペースに、回動軸部１２５ａ，１２５ｂが納まる。したがって、ロータリシャッタ２０が傾斜しても、回動軸部１２５ａ，１２５ｂは下シャッタ２２に当接せず、ロータリシャッタ２０とカートリッジケース１０との摩擦抵抗が増加しないので、ロータリシャッタ２０の回動が妨げられることはない。
【００８９】
一方、本実施の形態においては、シャッタウォール２３の垂壁部２３１が、下シャッタ２２のウォール用切欠部２２４に嵌まり込むので、下シャッタ２２のシャッタウォール２３に対する位置決めが容易に行える。さらに、シャッタウォール２３の立壁部２３３が、上シャッタ２１のウォール用切欠部２１４に嵌まり込むので、上シャッタ２１のシャッタウォール２３に対する位置決めが容易に行える。このように、垂壁部２３１がウォール用切欠部２２４に噛み合うとともに、立壁部２３３がウォール用切欠部２１４に噛み合っているので、ロータリシャッタ２０の一体性が高く、ロータリシャッタ２０の回動時に、シャッタノブ２４からかかる回転力に対して、高い剛性を得ることができる。
【００９０】
さらに、本実施の形態では、下シャッタ２２の板厚ｔ１を薄くして、その上面の位置を変えずに、下面の位置が従来よりも上方に上がるように配置したので、ハブ孔シャッタ４０の設置スペースを上方に広くすることができる。さらに、ロータリシャッタ２０内での、下シャッタ２２の上面の位置は変わらないので、フレキシブルディスク３１の上下の隙間Ｓ１，Ｓ２を均等に保持することができる。これによって、フレキシブルディスク３１の回転時に、その上下でそれぞれ発生する気流を均等なものとでき、気圧のバランスを保持できる。したがって、フレキシブルディスク３１のバタツキを防止することができ、書き込み／読み込みエラーの発生を防止できる。
【００９１】
また、下シェル１２の板厚ｔ３を薄くして、その下面の位置を変えずに、上面の位置が従来よりも下方に下がるように配置したので、ハブ孔シャッタ４０の設置スペースを下方に広くすることができる。さらに、カートリッジケース１０の外形寸法は変わらないので、規格寸法通りの記録ディスクカートリッジ１を提供することができる。
【００９２】
以上、本発明を実施するための形態について説明したが、本発明は、前記実施形態に限定されず、本発明の趣旨を逸脱しない範囲で適宜設計変更が可能である。例えば、本実施形態では、シャッタウォール２３の垂壁部２３１と立壁部２３３は、上下方向で同じ位置に形成されているが、オフセットして形成するようにしてもよい。すなわち、垂壁部の上部に上面の凹部が位置し、立壁部の下部に下面の凹部が位置するように、シャッタウォールを形成する。これによれば、シャッタウォールの全周に亘って従来よりも高さを高くできるので、シャッタウォールの剛性を高めることができ、ロータリシャッタの製造精度を高めることができる。
【００９３】
また、本実施の形態では、シャッタウォール２３に形成された垂壁部２３１を、下シャッタ２２に形成されたウォール用切欠部２２４に嵌め込んで、下シャッタ２２の下方に突出部２０２を形成しているがこれに限られるものではない。例えば、下シャッタ２２の周縁部の下面に突出部を形成するための別部材を取り付けたり、下シャッタ２２に半抜き加工などを施して下シャッタ２２と一体の突出部を形成したりしてもよいのは勿論である。
【図面の簡単な説明】
【００９４】
【図１】最良の一実施形態に係る記録ディスクカートリッジを示す斜視図であり、（ａ）は前方斜め上方から見た図、（ｂ）は後方斜め下方から見た図である。
【図２】最良の一実施形態に係る記録ディスクカートリッジの分解斜視図である。
【図３】最良の一実施形態に係るロータリシャッタを示す斜視図であり、（ａ）は前方斜め上方から見た図、（ｂ）は後方斜め下方から見た図である。
【図４】最良の一実施形態に係る記録ディスクカートリッジを下方から見た平面図である。
【図５】最良の一実施形態に係る記録ディスクカートリッジをドライブ装置に挿入した状態と挿入前の状態を示す斜視図である。
【図６】最良の一実施形態に係るロータリシャッタを示す要部断面図である。
【図７】最良の一実施形態に係るロータリシャッタを示す分解斜視図である。
【図８】最良の一実施形態に係るロータリシャッタを示す側面図である。
【図９】最良の一実施形態に係る下シャッタを示す平面図である。
【図１０】最良の一実施形態に係るシャッタウォールを示す図であり、（ａ）は側面図、（ｂ）は底面図である。
【図１１】従来の記録ディスクカートリッジを示す斜視図であり、（ａ）は上側前方から見た図、（ｂ）は下側後方から見た図である。
【符号の説明】
【００９５】
１        記録ディスクカートリッジ
１０      カートリッジケース
２０      ロータリシャッタ
２１      上シャッタ
２２      下シャッタ
２３      シャッタウォール
３０      記録ディスクメディア
３２      ハブ
４０      ハブ孔シャッタ
１０１    アクセス用開口部
１２３    ハブ孔
１２５ａ  回動軸部
１２５ｂ  回動軸部
２０２    突出部
２２３ａ  係合突起
２２３ｂ  係合突起
２２４    ウォール用切欠部
２３１    垂壁部
Ｌ１      ハブ孔シャッタの厚さ寸法
Ｌ２      突出部の突出寸法
Ｌ３      係合突起の突出寸法
Ｌ４      回動軸部の突出寸法
【図１】
2007141303.tif 000003
【図２】
2007141303.tif 000004
【図３】
2007141303.tif 000005
【図４】
2007141303.tif 000006
【図５】
2007141303.tif 000007
【図６】
2007141303.tif 000008
【図７】
2007141303.tif 000009
【図８】
2007141303.tif 000010
【図９】
2007141303.tif 000011
【図１０】
2007141303.tif 000012
【図１１】
2007141303.tif 000013